(57)【特許請求の範囲】
【請求項１】
マトリックス状に配置された複数の表示素子と、前記表示素子に電流を流すために前記表示素子に印加する駆動電圧を生成するための駆動電圧生成回路と、前記表示素子に流れる電流を制御するための信号電圧を表示データに応じて生成するデータ線駆動回路と、前記信号電圧を印加すべき前記表示素子を選択するための走査線駆動回路とを備えた表示装置において、
前記供給線に流れる電流を検出するための検出回路と、
前記駆動電圧生成回路から前記表示素子までの前記表示素子に前記駆動電圧を印加するための供給線に沿った距離に応じた制御信号及び前記供給線に流れる電流の検出情報に基づいて前記表示素子に電流を流すか否かを切り替えることにより、１フレーム期間中の前記表示素子の点燈時間を制御するための制御回路とを備え、
前記駆動電圧生成回路から前記表示素子までの前記供給線に沿った距離が大きくなるに伴って、前記点燈時間が長くなり、
前記複数の表示素子が同一の表示データを表示して前記供給線に流れる電流が大きい場合に前記駆動電圧生成回路から前記表示素子までの前記供給線に沿った距離に応じて前記点燈時間が長くなる割合は、前記複数の表示素子が他の同一の表示データを表示して前記供給線に流れる電流が小さい場合に前記駆動電圧生成回路から前記表示素子までの前記供給線に沿った距離に応じて前記点燈時間が長くなる割合よりも大きくなる表示装置。
【請求項２】
前記複数の表示素子が同一の白表示データを表示した場合に前記供給線に流れる電流は、前記複数の表示素子が同一の中間調表示データを表示した場合に前記供給線に流れる電流よりも大きくなる請求項１に記載の表示装置。
【請求項３】
前記制御回路は、前記走査線駆動回路が前記表示素子を選択する単位で前記表示素子の点燈時間を制御する請求項１に記載の表示装置。
【請求項４】
前記供給線は、前記駆動電圧生成回路に接続された前記供給線の母線から分岐して前記複数の表示素子に接続され、
前記検出回路は、前記供給線の母線に流れる電流又は前記供給線の各分岐線に流れる電流を検出する請求項１に記載の表示装置。
【請求項５】
前記供給線の各分岐線は、列方向の複数の表示素子に接続され、又は行方向の複数の表示素子に接続される請求項４に記載の表示装置。
【請求項６】
マトリックス状に配置された複数の表示素子と、前記表示素子に電流を流すために前記表示素子に印加する駆動電圧を生成するための駆動電圧生成回路と、前記表示素子に流れる電流を制御するための信号電圧を表示データに応じて生成するデータ線駆動回路と、前記信号電圧を印加すべき前記表示素子を選択するための走査線駆動回路とを備えた表示装置において、
前記駆動電圧生成回路から前記表示素子までの前記表示素子に前記駆動電圧を印加するための供給線に沿った距離に応じた制御信号に基づいて前記表示素子に電流を流すか否かを切り替えることにより、１フレーム期間中の前記表示素子の点燈時間を制御するための制御回路を備え、
前記駆動電圧生成回路から前記表示素子までの前記供給線に沿った距離が大きくなるに伴って、前記点燈時間が長くなり、
前記複数の表示素子が同一の白表示データを表示した場合に前記駆動電圧生成回路から前記表示素子までの前記供給線に沿った距離に応じて前記点燈時間が長くなる割合は、前記複数の表示素子が同一の中間調表示データを表示した場合に前記駆動電圧生成回路から前記表示素子までの前記供給線に沿った距離に応じて前記点燈時間が長くなる割合よりも大きくなる表示装置。
【請求項７】
マトリックス状に配置された複数の表示素子と、前記表示素子に電流を流すために前記表示素子に印加する駆動電圧を生成するための駆動電圧生成回路と、前記表示素子に流れる電流を制御するための信号電圧を表示データに応じて生成するデータ線駆動回路と、前記信号電圧を印加すべき前記表示素子を選択するための走査線駆動回路とを備えた表示装置において、
前記複数の表示素子の発光輝度を検出するための検出回路と、
前記駆動電圧生成回路から前記表示素子までの前記表示素子に前記駆動電圧を印加するための供給線に沿った距離に応じた制御信号及び前記複数の表示素子の発光輝度の検出情報に基づいて前記表示素子に電流を流すか否かを切り替えることにより、１フレーム期間中の前記表示素子の点燈時間を制御するための制御回路とを備え、
前記駆動電圧生成回路から前記表示素子までの前記供給線に沿った距離が大きくなるに伴って、前記点燈時間が長くなり、
前記複数の表示素子が発光輝度の大きい同一の表示データを表示した場合に前記駆動電圧生成回路から前記表示素子までの前記供給線に沿った距離に応じて前記点燈時間が長くなる割合は、前記複数の表示素子が発光輝度の小さい他の同一の表示データを表示した場合に前記駆動電圧生成回路から前記表示素子までの前記供給線に沿った距離に応じて前記点燈時間が長くなる割合よりも大きくなる表示装置。
【請求項８】
前記制御回路は、前記表示データに黒表示データを挿入すると共に、前記表示素子に電流を流すか否かを切り替える代わりに、前記黒表示データを挿入するタイミング及び／又は時間を制御することによって、前記点燈時間を制御する請求項１に記載の表示装置。
【請求項９】
前記制御回路は、前記表示データに前記表示データよりも輝度の低い表示データを挿入すると共に、前記表示素子に電流を流すか否かを切り替える代わりに、前記輝度の低い表示データを挿入するタイミング及び／又は時間を制御することによって前記点燈時間を制御する請求項１に記載の表示装置。
【請求項１０】
前記表示素子は、発光素子と、前記走査線駆動回路により選択された場合に前記信号電圧に応じた電荷を蓄積する容量素子と、前記容量素子の前記電荷に応じた電流を前記発光素子へ流す駆動素子と、前記制御信号に基づいて前記発光素子に電流を流すか否かを切り替えるスイッチング素子とを備える請求項１に記載の表示装置。
【発明の詳細な説明】
【０００１】
【発明の属する技術分野】
本発明は、表示素子として発光ダイオード（LED）や有機ＥＬ（Electro Luminescence）等に代表される自発光素子を利用した表示装置に関する。
【０００２】
【従来の技術】
特開平10-223373号公報には、奇数行のカソード電極パターンを基板の一辺部に、偶数行のカソード電極パターンをこれと対向する他辺部へ引き出すことによって、画面全体として輝度分布が均一とするディスプレイが開示されている。
【０００３】
特開2000-194428号公報には、一つの有機ＥＬ素子を駆動する定電流原を複数（例えば５つ）用意し、これらを選択制御して、有機ＥＬ素子に流れる通電電流を変化させることによって、各定電流原のばらつきと各有機ＥＬ素子の順方向電圧のばらつきに起因する輝度むらをなくすことができる有機ＥＬ素子の駆動装置が開示されている。
【０００４】
特開2000-194428号公報には、点灯時間を調整することによって輝度を調整することが開示されている。
【０００５】
特開2000-187467号公報には、電流検出回路により有機EL素子に流れる電流を検出し、その検出した電流値に応じて次回の点灯時間を制御し、これによって、素子にばらつきや劣化があってもそれによる輝度変化を検出して補正することができ、良好な階調制御を行うことができることが開示されている。
【０００６】
特開2001-13903号公報には、自発行表示素子に流れる電流値又は時間又輝度から劣化状態に関する劣化情報を生成し、その劣化情報に基づいて、自発行表示素子に定電圧を印加する時間幅又は印加しない時間幅を調整することが開示されている。
【０００７】
【発明が解決しようとする課題】
特開平10-223373号公報に記載の発明は、画面の端部で輝度の高い行と輝度の低い行とが交互に生じるため、画面の端部では輝度むらが生じると考えられるまた、自発光素子は、点燈している画素に輝度に応じた電流が流れるため、点燈している画素の数によって電源電流量が変動する。つまり、表示データの内容によって輝度低下の度合いも変わってしまう。一方、特開平10-223373号公報に記載の発明では、電極パターンの取り出し部に近い発光ドットと遠い発行ドットとの間の電圧降下差が生じる点については考慮されているが、さらに、表示データの内容によって輝度低下の度合いが異なることまでは考慮されていない。
【０００８】
特開2000-194428号公報に記載の発明は、各定電流原のばらつきと各有機ＥＬ素子の順方向電圧のばらつきに起因する輝度むらをなくすものであり、電流原から表示素子に至るまでの配線の電圧降下による輝度低下及びその偏りによる輝度むらを低減することについては何ら考慮されていない。
【０００９】
特開2000-194428号公報や特開2000-187467号公報、特開2001-13903号公報に記載の発明は、表示素子のばらつきや劣化状態（経年変化）に起因する輝度の変化を補正するものであり、電流原から表示素子に至るまでの配線の電圧降下による輝度低下及びその偏りによる輝度むらを低減することについては何ら考慮されていない。
【００１０】
また、黒表示から白表示になる（表示データの階調値が大きくなる）に伴い、即ち、表示輝度が大きくなるに伴い、電圧降下の割合（傾き）や電圧降下量が大きくなるという海内がある。詳細は、発明の実施の形態の欄で説明する。
本発明の目的は、表示素子の配置位置に起因する輝度の偏りを低減する表示装置を提供することにある。
【００１１】
本発明の目的は、電流原から表示素子に至るまでの配線の電圧降下に起因する輝度の偏りを低減する表示装置を提供することにある。
【００１２】
【課題を解決するための手段】
本発明では、表示素子を駆動するための駆動電圧を生成するための駆動電圧生成回路から表示素子までの距離に応じて、表示素子の点燈時間（駆動時間）を制御する。
【００１３】
さらに、電流が大きい場合、白表示データを表示した場合、表示輝度が高い場合に駆動電圧生成回路から表示素子までの距離に応じて点燈時間を長くする割合を、電流が小さい場合、中間調表示データを表示した場合、表示輝度が低い場合に駆動電圧生成回路から表示素子までの距離に応じて点燈時間を長くする割合よりも大きくする。
【００１４】
【発明の実施の形態】
以下、本発明の第１の実施形態を、図面を用いて詳細に説明する。
【００１５】
図１は本発明の第１の実施形態の表示装置の構成図である。垂直同期信号１は、表示一画面周期（１フレーム周期）の信号、水平同期信号２は、一水平周期の信号、データイネーブル信号３は、表示データ４が有効又は無効である期間（表示有効期間）を示す信号である。これら全ての信号は、同期クロック５に同期して外部（例えば、パーソナルコンピュータ等）から入力される。本第１の実施形態では、これら表示データが、一画面分が左上端の画素から順次ラスタスキャン形式で転送され、１画素分の情報は４ビットの階調データからなるものとする。６は表示制御部、７はデータ線制御信号、８は走査線制御信号、９は格納・読出しコマンド信号、１０は格納・読出しアドレス、１１は格納データ、１２は画面格納手段、１３は画面読出しデータである。表示制御部６は、ディスプレイ部25（後述）の少なくとも一画面分の表示データ４を格納可能な画面格納手段（フレームメモリ）１２へ、一旦格納するための格納・読出しコマンド信号９、格納・読出しアドレス１０、格納データ１１を生成する。また、表示制御部６は、ディスプレイ部25の表示タイミングに合わせて一画面分の表示データを読み出すよう、格納・読出しコマンド信号９、格納・読出しアドレス１０を生成する。画面格納手段１２は、格納・読出しコマンド９、格納・読出しアドレスに従って、格納データ１１を格納し、あるいは画面読出しデータ１３を読み出す。表示制御部６は、画面読出しデータ１３からデータ線制御信号７、走査線制御信号８を生成する  。１４はデータ線駆動手段、１５はデータ線駆動信号、１６は走査線駆動手段、１７は走査線駆動信号、１８は駆動電圧生成手段、１９は駆動基準電圧、２０は電流検知手段、２１は電流検知情報、２２は駆動電圧、２３は画素点燈制御手段、２４は画素点燈制御信号、２５は自発光素子ディスプレイである。ディスプレイ部25は、表示素子として発光ダイオードや有機ＥＬ等を用いた自発行素子を有する。ディスプレイ部25は、複数の自発光素子（画素）はマトリックス状に配置される。各画素は、走査線駆動手段１６から出力される走査線駆動信号１７によって選択された画素に、データ線駆動手段１４から出力されるデータ線駆動信号１５に従った信号電圧の印加と、画素点燈制御手段２３から出力される画素点燈制御信号２４に従った画素の点燈制御によって動作する。ここで、電流検知手段２０は、駆動電圧２２の電流量を検知し、電流量の情報を電流検知情報２１として出力する。画素点燈制御手段２３は、走査線制御信号８、および電流検知情報２１に従って、画素の点燈時間を制御するよう、画素点燈制御信号２４を出力する。自発光素子を駆動する電圧は、駆動電圧２２として供給する。尚、走査線駆動手段16と画素点燈制御手段23は、１つのＬＳＩチップで実現してもよい。本第１の実施形態では、ディスプレイ部２５は６４０×４８０ドットの解像度を持つものとする。ディスプレイ部25は、自発光素子に流れる電流量又は自発光素子の点燈時間によって、自発光素子で表示される輝度を調整することが可能である。自発光素子に流れる電流量が大きくなるに従い、自発光素子の輝度が高くなる。自発光素子の点燈時間が長くなるに従い、自発光素子の輝度が高くなる。データ線駆動手段14が、表示データに応じて信号電圧を生成し、その信号電圧によって、自発光素子へ供給される駆動電圧の電流量を制御する。
【００１６】
図２は、本発明の第１の実施形態のディスプレイ部25の内部構成である。自発光素子として、有機ＥＬ素子を用いた場合の例を示す。図２において、２６は第１データ線、２７は第２データ線、２８は第１走査線、２９は第４８０走査線、３０は第１点燈制御線、３１は第４８０点燈制御線、３２は有機ＥＬ駆動電圧供給線、３３は第１列有機ＥＬ駆動電圧供給線、３４は第２列有機ＥＬ駆動電圧供給線、３５は第１行第１列画素、３６は第１行第２列画素、３７は第４８０行第１列画素、３８は第４８０行第２列画素である。各々の走査線に流れる走査線選択電圧によって選択された行の画素に、各々のデータ線を介して信号電圧を供給し、各々の点燈制御線によって点燈状態とする画素を決定し、信号電圧に従って各列有機ＥＬ駆動電圧供給線から供給される有機ＥＬ駆動電圧を制御し、画素を点燈させる。ここでは、画素の内部の構成を第１行第１列画素３５にのみ示しているが、第１行第２列画素３６、第４８０行第１列画素３７、第４８０行第２列画素３８についても同様の構成である。３９は画素駆動部、４０はスイッチングトランジスタ、４１は書き込み容量、４２は駆動トランジスタ、４３は点燈制御スイッチ、４４は有機ＥＬである。画素駆動部３９は、信号電圧に対応して有機ＥＬ４４に流す電流を制御するためのものである。画素駆動部３９は、スイッチングトランジスタ４０、書き込み容量４１、駆動トランジスタ４２を備える。スイッチングトランジスタ４０は、第１走査線２８によってオン状態となり、書き込み容量に第１データ線２６から供給される信号電圧を蓄積し、蓄積された電圧によって駆動トランジスタ４２を流れる電流量を制御する。駆動トランジスタ４２によって制御された電流が、点燈制御スイッチ４３に従って制御される点燈時間中、有機ＥＬ４４に流れることにより、有機ＥＬ４４が電流量に従った輝度で点燈時間中に発光する。なお、点燈制御スイッチ４３は、制御信号の“High”か“Low”かによって動作し、ここでは、“High”のときにスイッチが“ON”、つまり電流が導通状態となり、“Low”のときにスイッチが“OFF”、つまり電流が停止状態となるものとする。但し、逆であってもよい。
【００１７】
ディスプレイ部２５の画素数が６４０×４８０画素であるため、走査線は、水平方向の線が、垂直方向に第１走査線２８から第４８０走査線２９まで４８０本並び、データ線は、垂直方向の線が、水平方向に第１データ線２６、第２データ線２７から、第６４０データ線まで６４０本並んでいるものとする。さらに、有機ＥＬ駆動電圧供給線32は、ディスプレイ部25の下側に配置する。有機ＥＬ駆動電圧供給線32には、垂直方向（列方向）の線（例えば、第1列有機ＥＬ駆動電圧供給線33や第２列有機ＥＬ駆動電圧供給線34）が、水平方向（行方向）に６４０本接続されるものとして、以下説明する。よって、駆動電圧は、有機ＥＬ駆動電圧供給線32から第1列有機ＥＬ駆動電圧供給線33及び第２列有機ＥＬ駆動電圧供給線34を経由して、ディスプレイ部25の下側から上側に向かって、マトリックス状に配置された画素の列単位（１列単位でもよいし、複数列単位でもよい）で、画素へ供給される。複数の有機ＥＬ44の点燈時間を同一とした場合、列方向の下側（駆動電圧の供給点に近い側）に位置する画素の表示輝度が相対的に高くなり、列方向の上側（駆動電圧の供給点に遠い側）に位置する画素の表示輝度が相対的に低くなる。そこで、有機ＥＬ44の点燈時間の制御が必要となる。尚、有機ＥＬ駆動電圧供給線32は、ディスプレイ部25の上側に配置してもよい。この場合、駆動電圧は、上側に配置された有機ＥＬ駆動電圧供給線32から第1列有機ＥＬ駆動電圧供給線33及び第２列有機ＥＬ駆動電圧供給線34を経由して、ディスプレイ部25の上側から下側に向かって、マトリックス状に配置された画素の列単位（１列単位でもよいし、複数列単位）で、画素へ供給される。よって、有機ＥＬ44の点燈時間を同一として、同一の輝度を、複数の画素に表示させようとした場合、列方向の上側（駆動電圧の供給点に近い側）に位置する画素の表示輝度が相対的に高くなり、列方向の下側（駆動電圧の供給点に遠い側）に位置する画素の表示輝度が相対的に低くなる。さらに、有機ＥＬ駆動電圧供給線32は、ディスプレイ部25の上側及び下側に配置し、ディスプレイ部25の上側から駆動電圧を画素に供給する場合とディスプレイ部25の下側から駆動電圧を画素に供給する場合を、列単位で交互に形成してもよい。また、有機ＥＬ駆動電圧供給線32は、ディスプレイ部25の右側に配置してもよい。この場合、有機ＥＬ駆動電圧供給線32には、水平方向（例えば、第1行有機ＥＬ駆動電圧供給線や第２行有機ＥＬ駆動電圧供給線）の線が、垂直方向に480本接続されることになる。この場合、駆動電圧は、右側に配置された有機ＥＬ駆動電圧供給線32から第1行有機ＥＬ駆動電圧供給線や第２行有機ＥＬ駆動電圧供給線を経由して、ディスプレイ部25の右側から左側に向かって、マトリックス状に配置された画素の行単位（１行単位でもよいし、複数行（例えば、２行や３行）単位）で、画素へ供給される。よって、有機ＥＬ44の点燈時間を同一として、同一の輝度を、複数の画素に表示させようとした場合、行方向の右側（駆動電圧の供給点に近い側）に位置する画素の表示輝度が相対的に高くなり、列方向の左側（駆動電圧の供給点に遠い側）に位置する画素の表示輝度が相対的に低くなる。また、有機ＥＬ駆動電圧供給線32は、ディスプレイ部25の左側に配置しても��い。この場合、駆動電圧は、左側に配置された有機ＥＬ駆動電圧供給線32から第1行有機ＥＬ駆動電圧供給線や第２行有機ＥＬ駆動電圧供給線を経由して、ディスプレイ部25の左側から右側に向かって、マトリックス状に配置された画素の行単位（１行単位でもよいし、複数行（例えば、２行や３行）単位）で、画素へ供給される。よって、有機ＥＬ44の点燈時間を同一として、同一の輝度を、複数の画素に表示させようとした場合、行方向の左側（駆動電圧の供給点に近い側）に位置する画素の表示輝度が相対的に高くなり、列方向の右側（駆動電圧の供給点に遠い側）に位置する画素の表示輝度が相対的に低くなる。さらに、有機ＥＬ駆動電圧供給線32は、ディスプレイ部25の左側及び右側に配置し、ディスプレイ部25の左側から駆動電圧を画素に供給する場合とディスプレイ部25の右側から駆動電圧を画素に供給する場合を、列単位で交互に形成してもよい。
【００１８】
図３は、本発明の実施携帯の走査線駆動信号及び画素点燈制御信号の各走査線における動作を示した図である。図３において、４５は第１走査信号、４６は第１走査線駆動周期、４７は第２走査信号、４８は第２走査線駆動周期、４９は第３走査信号、５０は第３走査線駆動周期、５１は第１走査線点燈制御信号、５２は第１走査線点燈期間、５３は第２走査線点燈制御信号、５４は第２走査線点燈期間、５５は第３走査線点燈制御信号、５６は第３走査線点燈期間である。各走査信号は、第２走査信号４７は第１走査信号４５の終了後、さらに第３走査信号４９は第２走査信号４７の終了後と、順次シフトする信号である。したがって、第１走査線駆動周期４６、第２走査線駆動周期４８、第３走査線駆動周期５０は、信号電圧が書き込まれる周期であり、ここでは４８０ライン分書き込みを行うための時間となる。この時間は、すべて同じ時間となるのが好ましい。各走査線点燈制御信号は、各走査線に対応する走査信号の立ち上がり以降に“High”とし、次の書き込みより前で、任意の期間後に“Low”とする。画素は“High”の期間のみ点燈する。但し、逆であってもよい。この期間は走査線ごとに設定可能とする。したがって、第１走査線点燈期間５２、第２走査線点燈期間５４、第３走査線点燈期間５６は全て異なる期間となる。尚、走査信号は、１走査線単位で順次シフトしてもよいし、複数（例えば、２や３）走査線単位で順次シフトしてもよい。また、１又は複数走査線おきに、シフトしてもよい。
【００１９】
図４（ａ）は、本発明の第１の実施形態の駆動トランジスタと有機ＥＬのみの構成図である、図４（ｂ）は、信号電圧と電流の関係を示す図である。５７は有機ＥＬ駆動電圧、５８は書き込み電圧、５９はソース−ゲート間電圧、６０はソース−ドレイン間電圧、６１は有機ＥＬ電流である。駆動トランジスタ４２は、有機ＥＬ電圧５７と書き込み電圧５８から決まる、ソース-ゲート間電圧５９、ソースド-レイン間電圧６０の関係から、有機ＥＬ電流６１を制御し、有機ＥＬ４４を発光させる。６２は駆動トランジスタ電圧−電流特性、６３は有機ＥＬ電圧−電流特性、６４は有機ＥＬ動作点であり、駆動トランジスタ電圧−電流特性６２は、横軸に駆動トランジスタ４２のソース-ドレイン間電圧６０の値をとり、縦軸に電圧に対する駆動トランジスタ４２に流れる電流をとったものであり、ある一定のソース−ゲート電圧５９、つまり、ある信号電圧５８に対する特性を示したものである。有機ＥＬ電圧−電流特性６３は、ある一定の有機ＥＬ駆動電圧５７を与えたとき、横軸のソース−ドレイン間電圧６０から導出される有機ＥＬ電圧に対し、その電圧のときに流れる有機ＥＬ電流６１の値を縦軸にとったものである。したがって、この２線の交点となる有機ＥＬ動作点６４が、ある有機ＥＬ駆動電圧５７の条件において、ある信号電圧５８を与えたときに流れる有機ＥＬ電流６１の値を示している。図４（ｂ）で、ある信号電圧５８に対する駆動トランジスタ４２のソース−ドレイン間電圧特性のグラフに、有機ＥＬ駆動電圧５７と駆動トランジスタのソース−ドレイン間電圧６０の差で表される有機ＥＬにかかる電圧に対する有機ＥＬ電流６１の特性である有機ＥＬ電圧−電流特性のグラフを重ねる。この２つの特性の交点から、有機ＥＬ駆動電圧５７、信号電圧５８の条件に対する有機ＥＬ電流６１の値はＩａとなる。
【００２０】
７０は低有機ＥＬ駆動電圧時駆動トランジスタ電圧−電流特性、７１は低有機ＥＬ駆動電圧時有機ＥＬ電圧−電流特性、７２は低有機ＥＬ駆動電圧時有機ＥＬ動作点である。有機ＥＬ駆動電圧５７が低下すると、ソース−ゲート間電圧６０が低下するため、駆動トランジスタ電圧−電流特性６２は、低有機ＥＬ駆動電圧時駆動トランジスタ電圧−電流特性７０のように変化する。同様に、有機ＥＬ駆動電圧５７が低下すると、同じ値のソース−ドレイン間電圧に対する有機ＥＬ電圧が低下するため、有機ＥＬ電圧−電流特性６２は、低有機ＥＬ駆動電圧時有機ＥＬ電圧−電流特性７１のように変化する。交点である低有機ＥＬ駆動電圧時有機ＥＬ動作点７２から、有機ＥＬ電流６１は、ＩａからＩｂへと減少することを示している。したがってここでは、有機ＥＬ駆動電圧の降下が、有機ＥＬ電流の減少、つまり、輝度の低下を招くことを示している。
【００２１】
図５（ａ）は、本発明の第１の実施形態の白表示の場合の有機ＥＬ駆動電圧の供給線と画素との構成図である。図５（ｂ）は、本発明の第１の実施形態の白表示の場合の画素位置（給電ポイントから画素までの距離）と駆動電圧の関係である。図５（ｃ）は、本発明の第１の実施形態の中間調（白と黒の間の階調）表示の場合の有機ＥＬ駆動電圧の供給線と画素との構成図である。図５（ｄ）は、本発明の第１の実施形態の中間調（白と黒の間の階調）表示の場合の画素位置と駆動電圧の関係である。給電ポイントから画素までの距離とは、例えば、駆動電圧生成手段18から第１行第１列画素までの、有機ＥＬ駆動電圧供給線32及び第１列有機ＥＬ駆動電圧供給線33の長さである。６５は第２行第１列画素、６６は第１行有機ＥＬ駆動電圧、６７は第２行駆動電圧、６８は第４８０行駆動電圧であり、有機ＥＬ駆動電圧は、第１列上の画素へは、第４８０行第１列画素３６の方から、第１列有機ＥＬ駆動電圧供給線３３を介して、第１行第１列画素３５へは第１行有機ＥＬ駆動電圧６６、第２行第１列画素６５へは第２行有機ＥＬ駆動電圧６７、第４８０行第１列画素へは第４８０行有機ＥＬ駆動電圧６８が、各々供給される。６９は画素位置−駆動電圧特性であり、横軸に画素位置を給電ポイント（駆動電圧の供給点）からの距離で表したものをとり、縦軸にその位置の画素に供給される有機ＥＬ駆動電圧の値をとったものである。有機ＥＬ駆動電圧供給線３３が配線抵抗を持ち、給電ポイントからの距離が長くなるほどこの抵抗は大きくなるため、有機ＥＬ駆動電圧が降下していることを示している。つまり、垂直方向に並んだ画素は１本の有機ＥＬ駆動電圧供給線３３に接続されているため、最下部の画素と、差上部の画素では、配線抵抗により電圧降下が生じ、各画素に供給される駆動電圧は、画素位置−駆動電圧特性６９のようになる。
【００２２】
７３は白表示時給電入り口電流、７４は白表示時第４８０行画素電流、７５は白表示時第２行画素電流、７６は白表示時第１行画素電流、７７は白表示時画素位置−駆動電圧特性である。白表示時は、画素に有機ＥＬ電流が流れるため、白表示時給電入り口電流７３が最大となる。第１列有機ＥＬ駆動電圧給電線３３は、配線抵抗を持つため、流れる電流が大きいほど、電圧降下が大きくなる。したがって、白表示時画素位置−駆動電圧特性７７は、図５（ｂ）に示すように傾きが大きい特性となり、給電ポイントに近い第４８０行画素電流７４に比べて、遠い第１行画素電流７６の方が小さくなる、つまり表示輝度が低くなっていることを示している。７８は中間調表示時給電入り口電流、７９は中間調表示時第４８０行画素電流、８０は中間調表示時第２行画素電流、８１は中間調表示時第１行画素電流、８２は中間調表示時画素位置−駆動電圧特性である。中間調表示時は、有機ＥＬ素子に流れる電流が少ないため、中間調表示時給電入り口電流７８は白表示時給電入り口電流７３に比べて小さくなる。第１列有機ＥＬ駆動電圧給電線３３は、配線抵抗を持つため、流れる電流が小さくなると、電圧降下は小さくなる。したがって、中間調表示時画素位置−駆動電圧特性８２は、図５（ｄ）に示すように傾きが小さい特性となり、給電ポイントに近い中間調表示時第４８０行画素電流７８と、遠い中間調表示時第１行画素電流８１はさほど差がない、つまり表示輝度もあまり変わらないことを示している。図５（ｂ）と（ｄ）を比較すると、黒表示よりも白表示のほうが、表示輝度が高いため、黒表示よりも白表示のほうが、電圧降下量が大きくなると共に、電圧降下率も大きくなる。
【００２３】
図６は、本発明の第１の実施形態における画素位置に対応した発光時間により、表示輝度をほぼ一定（均一）とする概念を示す図である、図６（ａ）〜（ｃ）は、白表示のように電圧降下が大きい場合の図である。図６（ｄ）〜（ｆ）は、全画素中間調表示や黒表示のように電圧降下が小さい場合の図である。図６（ａ）に画素が有機ＥＬ駆動電圧給電ポイントから遠い画面最上部の場合、図６（ｂ）が図６（ａ）より近い画面中央付近の場合、（ｃ）が最も近い画面最下部の場合を示す。８３は白表示時画素位置−有機ＥＬ電流特性である。電流は電圧に比例するため、図５に示す画素位置−駆動電圧特性と同様の特性となる。８４は白表示時最上部有機ＥＬ電流、８５は白表示時最上部点燈期間、８６は白表示時最上部点燈実効輝度、８７は白表示時中央部有機ＥＬ電流、８８は白表示時中央部点燈期間、８９は白表示時中央部点燈実効輝度、９０は白表示時最下部有機ＥＬ電流、９１は白表示時最下部点燈期間、９２は白表示時最下部点燈実効輝度である。図６（ａ）のように、画面の最上部では、白表示時最上部有機ＥＬ電流８４が小さいため、白表示時最上部点燈期間８５を長くし、図６（ｃ）のように、白表示時最下部有機ＥＬ電流９０は大きいため、白表示時最下部点燈期間９１を短くする。これにより、白表示時最上部有機ＥＬ電流８４と白表示時最上部点燈期間８５をかけた面積である白表示時最上部点燈実効輝度８６と、白表示時最下部有機ＥＬ電流９０と白表示時最下部点燈期間９１をかけた面積である白表示時最下部点燈実効輝度９２を等しくする。また、黒表示から白表示になる（表示データの階調値が大きくなる）に伴い、即ち、表示輝度が大きくなるに伴い、電圧降下の割合（傾き）や電圧降下量が大きくなるため、点燈時間を長くする割合を大きくするのが好ましい。尚、表示輝度は、有機ＥＬ駆動電圧の電流量から推定することが可能である。
【００２４】
図６（ｄ）は画素が有機ＥＬ駆動電圧給電ポイントから遠い画面最上部の場合、図６（ｅ）が図６（ｄ）より近い画面中央付近の場合、図６（ｆ）が最も近い画面最下部の場合を示す。９３は中間調表示時画素位置−有機ＥＬ電流特性である。電流は電圧に比例するため、図５に示す画素位置−駆動電圧特性と同様の特性となる。９４は中間調表示時最上部有機ＥＬ電流、９５は中間調表示時最上部点燈期間、９６は中間調表示時最上部点燈実効輝度、９７は中間調表示時中央部有機ＥＬ電流、９８は中間調表示時中央部点燈期間、９９は中間調表示時中央部点燈実効輝度、１００は中間調表示時最下部有機ＥＬ電流、１０１は中間調表示時最下部点燈期間、１０２は中間調表示時最下部点燈実効輝度である。中間調表示時最上部有機ＥＬ電流９４と、中間調表示時最下部有機ＥＬ電流１００との差が小さいため、それに応じて中間調表示時最上部点燈期間９５と中間調表示時最下部点燈期間１０１の差も小さくすることにより、中間調表示時最上部有機ＥＬ電流９４と中間調表示時最上部点燈期間９５をかけた面積である中間調表示時最上部点燈実効輝度９６と、中間調表示時最下部有機ＥＬ電流１００と中間調表示時最下部点燈期間１０１をかけた面積である中間調表示時最下部点燈実効輝度１０２を等しくする。
【００２５】
表示制御部６は、格納制御部、表示制御信号生成部とを備える格納制御部は、ディスプレイ部２５の表示タイミングに合わせて、表示データを出力するよう、格納・読出しコマンド９、格納・読出しアドレス１０を生成し、画面格納手段１２から、画面読出しデータ１３を読出すとともに、表示データ４を格納するために、格納・読出しコマンド９、格納・読出しアドレス１０、格納データ１１を生成する。表示制御信号生成部は、ディスプレイ部２５の表示タイミングを生成するタイミングにあわせてデータ読出し指示信号を生成し、読み出されたディスプレイ表示データとあわせて、データ線駆動手段１４が動作するためのデータ、タイミング信号としてデータ線駆動用信号７を出力し、走査線駆動手段１６が動作するためのタイミング信号を含む走査線駆動用信号８を生成する。表示制御信号生成部１０４は、基本クロック生成手段と、水平カウンタと、垂直カウンタと、格納データ読出しタイミング制御手段と、データタイミング調整手段と、データ線駆動制御手段と、走査線駆動制御手段と、走査開始信号と、走査シフトクロック制御手段を備える。基本クロック生成手段は、ディスプレイ部２５を表示するため、以降で生成する制御信号の基本となる基本クロックを生成する。水平カウンタは、基本クロックに従って一水平期間中カウントアップを続け、水平カウント値として出力し、一水平期間が終了すると、水平カウント値をリセットし、垂直カウントタイミングを出力する。垂直カウンタは、垂直カウントタイミングに従って１フレーム期間中カウントアップを続け、垂直カウント値として出力し、１フレーム期間が終了すると垂直カウント値をリセットする。タイミング制御手段は、水平カウント値、垂直カウント値の値に従って格納手段１２に格納された表示データを読み出すよう、データ読出し指示信号を生成する。データ線駆動制御手段は、水平カウント値、垂直カウント値から、データ線駆動手段１４でデータ線駆動データをラッチし、出力するためのデータ線駆動タイミング信号を生成する。データタイミング調整手段は、水平カウント値、垂直カウント値から、データ線駆動タイミング信号のタイミングと合わせるよう、ディスプレイ表示データのタイミングを調整し、データ線駆動データとして出力する。基本クロック、データ線駆動データ、データ線駆動タイミング信号で、データ線駆動信号７を構成する。走査線駆動制御手段は、水平カウント値から、１フレーム内の先頭を示す走査開始信号を生成する。走査シフトクロック制御手段は、垂直カウントタイミングから、走査線駆動手段１６において、走査開始信号を一水平ごとに異なる走査線にシフトして出力するための、走査シフトクロックを生成する。走査開始信号と、走査シフトクロックで、走査線制御信号８を構成する。
【００２６】
図７は、本発明の第１の実施形態の画素点燈制御手段２３の内部構成図である。１２３は点燈開始タイミングシフト手段、１２４は第１走査線点燈開始タイミング信号、１２５は第２走査線点  燈開始タイミング信号、１２６は第３走査線点燈開始タイミング信号、１２７は第４７９走査線点燈開始タイミング信号、１２８は第４８０走査線点燈開始タイミング信号である。点燈開始タイミングシフト手段１２３は、走査開始信号１２０を走査シフトクロックに従ってシフトし、シフト結果を各走査線の点燈開始タイミングを示す、第１走査線点燈開始タイミング信号１２４から第４８０走査線点燈開始タイミング信号１２８の４８０本の出力とする。なお、本第１の実施形態では、点燈開始タイミングを、走査開始のタイミングと同時とする。但し、走査開始タイミングの後に、点燈開始タイミングがあってもよい。１２９は点燈終了基準タイミング生成手段、１３０は点燈終了基準タイミング信号である。点燈終了基準タイミング生成手段１２９は、走査開始信号１２０から、点燈終了の基準タイミングとなる点燈終了基準タイミング信号１３０を生成する。ここでは、走査開始信号１２０を走査シフトクロック１２２で任意の数だけラッチするものとして以下説明する。１３１は点燈終了タイミングシフト手段、１３２は第１走査線点燈終了基準タイミング信号、１３３は第２走査線点燈終了基準タイミング信号、１３４は第３走査線点燈終了基準タイミング信号、１３５は第４７９走査線点燈終了基準タイミング信号、１３６は第４８０走査線点燈終了基準タイミング信号である。点燈終了タイミングシフト手段１３１は、点燈終了基準タイミング信号１３０を走査シフトクロック１２２に従ってシフトし、シフト結果を各走査線の点燈終了タイミングの基準を示す、第１走査線点燈終了基準タイミング信号１３２から第４８０走査線点燈終了基準タイミング信号１３６の４８０本の出力とする。１３７は走査線別点燈終了タイミング調整手段、１３８は第１走査線点燈終了タイミング信号、１３９は第２走査線点燈終了タイミング信号、１４０は第３走査線点燈終了タイミング信号、１４１は第４７９走査線点燈終了タイミング信号、１４２は第４８０走査線点燈終了タイミング信号である。走査線別点燈終了タイミング調整手段１３７は、各走査線の点燈終了基準タイミング信号１３２から１３６を、走査線別に任意のタイミング調整を行い、第１走査線点燈終了タイミング信号１３８から第４８０走査線点燈終了タイミング信号１４２として出力する。タイミングの調整量は、走査線別に独立に設定可能とし、さらに各々の調整量は、電流検知情報２１に従って可変とする。１４３は第１走査線点燈制御手段、１４４は第１走査線点燈制御信号、１４５は第２走査線点燈制御手段、１４６は第２走査線点燈制御信号、１４７は第３走査線点燈制御手段、１４８は第３走査線点燈制御信号、１４９は第４７９走査線点燈制御手段、１５０は第４７９走査線点燈制御信号、１５１は第４８０走査線点燈制御手段、１５２は第４８０走査線点燈制御信号である。各々の走査線点燈制御手段は、各々に入力される点燈開始タイミング信号と、点燈終了タイミング信号から、点燈期間を示す各走査線点燈制御信号を生成する。ここ���は、点燈制御信号が、点燈開始タイミングから点燈終了タイミングまでの期間、“High”となる信号であるものとして、以下説明する。よって、画素点燈制御手段２３は、点燈制御スイッチ４３の“ON”の時間を制御することになる。但し、画素点燈制御手段２３は、点燈制御スイッチ４３の“OFF”の時間を制御してもよい。この場合、点燈制御信号が、点燈修了タイミングから点燈開始タイミングまでの期間、“High”となる。
【００２７】
図８は、本発明の第１の実施形態の点燈開始タイミングシフト手段１２３、点燈終了基準タイミング生成手段１２９、点燈終了タイミングシフト手段１３１の動作タイミングを示す図である。各走査線点燈開始タイミング信号は、走査開始信号１２０を走査シフトクロック１２２に従って一段づつシフトしていることを示している。また、点燈終了基準タイミング信号１３０は、走査開始信号１２０を任意の走査シフトクロック１２２のクロック数だけシフトした信号であり、これを基準に走査シフトクロック１２２に従って一段づつシフトした信号を、第１走査線点燈終了基準タイミング信号１３２から第４８０走査線点燈終了基準タイミング信号１３６としていることを示している。
【００２８】
図９は、本発明の第１の実施形態の走査線別点燈終了タイミング調整手段１３７の動作タイミングを示す図である。１５３は第１走査線点燈終了タイミング調整量、１５４は第２走査線点燈終了タイミング調整量、１５５は第３走査線点燈終了タイミング調整量、１５６は第４７９走査線点燈終了タイミング調整量である。各走査線点燈終了タイミング信号１３８から１４２は、各走査線点燈終了基準タイミング信号１３２から１３６を、各々の異なるタイミング調整量１５３から１５６だけ遅延させることにより生成していることを示している。
【００２９】
図１０は、本発明の第１の実施形態の第１走査線点燈制御手段１４３、第２走査線点燈制御手段１４５、第３走査線点燈制御手段１４７、第４７９走査線点燈制御手段１４９、第４８０走査線点燈制御手段１５１の動作タイミングを示す図である。各走査線点燈制御信号は、各走査線点燈開始タイミング信号の立ち上がりから、各走査線点燈終了タイミング信号の立ち上がりまで“High”となる信号であることを示している。
【００３０】
数1から数3は、図９記載の第１走査線点燈終了タイミング調整量１５３、第２走査線点燈終了タイミング調整量１５４、第３走査線点燈終了タイミング調整量１５５、第４７９走査線点燈終了タイミング調整量１５６の算出するための式である。
【００３１】
【数１】
0003855868.tif 000002
【００３２】
但し、VELは最下部から最上部までの有機EL駆動電圧降下、Rは最下部から最上部までの配線抵抗、IELは有機EL駆動電流である。
【００３３】
【数２】
0003855868.tif 000003
【００３４】
但し、VDは有機EL駆動電圧、CELは有機EL駆動電圧降下率である。
【００３５】
【数３】
0003855868.tif 000004
【００３６】
但し、TWnは第ｎ走査線点燈終了タイミング調整量、Nは走査線本数、Tｆは走査線駆動周期、Tbは点燈終了基準タイミング遅延量である。
【００３７】
数1から数3において、有機ＥＬ駆動電圧VEL、配線抵抗Rは予め設定し、有機ＥＬ駆動電流IELは電圧検知情報２１から得ることにより、各走査線点燈終了タイミング調整量TWnを決定することを示している。
【００３８】
以上から、本発明の第１の実施形態では、有機ＥＬ駆動電圧の電流量を検知し、その情報を画素点燈制御に反映させることにより、配線抵抗による電圧降下に起因する輝度変化を抑えることができる。
【００３９】
以下、図１〜１０、および数1から数3を用いて、本第１の実施形態における画素点燈制御について説明する。
【００４０】
まず、図１を用いて、表示データの流れを説明する。図１で、表示制御部６は、表示データ４を一画面分、画面格納手段１２に格納データ１１として一旦格納する。そして、ディスプレイ部２５の表示タイミングに合わせて、画面格納手段１２から表示データを画面読出しデータ１３として読出し、データ線駆動信号７、走査線制御信号８を生成する。詳細は後で説明する。画面格納手段１２は、通常、入力される表示データ４と、ディスプレイ部２５の表示解像度やタイミングが異なるときに用いられるため、タイミングが全く同様の場合には省略することも可能である。データ線駆動手段１４は、４ビットの階調情報を含むデータ線駆動信号７を１ライン分（複数ライン分でもよい）ラッチし、ディスプレイ部２５の画素を表示するための信号電圧に変換し、データ線駆動信号１５として出力する。詳細は後で説明する。走査線駆動手段１６は、ディスプレイ部２５の走査線を順次選択するよう、走査線駆動信号１７を出力する。詳細は後で説明する。駆動電圧生成手段１８は、有機ＥＬを点燈するための駆動電圧を生成するための基準となる駆動基準電圧１９を生成し、電流検知手段２０は、有機ＥＬ駆動電圧２２を生成するとともに、有機ＥＬ駆動電圧２２を供給する際に流れる電流を検知し、電流量をデジタルデータで表す電流検知情報２１を出力する。なお、本第１の実施形態では、電流検知手段２０を駆動電圧生成手段１８の後ディスプレイ部２５の前（駆動電圧生成手段１８とディスプレイ部25との間）に設けているが、ディスプレイ部２５内の各列の有機ＥＬ電圧駆動線（例えば、第１列有機ＥＬ電圧駆動線33や第2列有機ＥＬ電圧駆動線34）ごとに設けても良いし、各画素の対向電極側、つまり電流が画素から流れ出る側（ディスプレイ部25からの出口でも良いし、ディスプレイ部２５内の各列の有機ＥＬ電圧駆動線（例えば、第１列有機ＥＬ電圧駆動線33や第2列有機ＥＬ電圧駆動線34）ごとでも良い）に設けても良く、有機ＥＬ駆動電圧の供給線上であれば、設置位置は限定するものではない。さらに、有機ＥＬ電圧駆動線が行単位で設けられている場合、電流検知手段２０は、ディスプレイ部２５内の各列の有機ＥＬ電圧駆動線（例えば、第１行有機ＥＬ電圧駆動線や第2行有機ＥＬ電圧駆動線）ごとに設けても良い。画素点燈制御手段２３は、ディスプレイ部２５の画素内に設けたスイッチを、走査線ごとに制御するための画素点燈制御信号２４を生成する。詳細は後で説明する。ディスプレイ部２５は、走査線駆動信号１７によって選択された走査線上の画素が、データ線駆動信号１５の信号電圧、画素点燈制御信号２４に従って点燈する。詳細は後で説明する。
【００４１】
図２、３を用いて、図１記載のディスプレイ部２５の点燈動作の詳細について説明する。図２で、第１走査線２８を介して、走査線選択電圧が供給されると、スイッチングトランジスタ４０がオン状態となり、第１データ線２６を介してデータの信号電圧を書き込み容量４１に蓄積し、駆動トランジスタ４２が有機ＥＬ４４に流す電流を制御するためのトランジスタとして動作する。駆動トランジスタ４２の電圧−電流特性に従った電流が、第１点燈制御線３０を介して供給される点燈制御信号に従って“オン”、“オフ”動作をする点燈制御スイッチ４３を介して有機ＥＬ４４に流れることにより、有機ＥＬ４４は発光する。ここで、点燈制御スイッチ４３は、スイッチの形で表現しているが、一般的にはMOSトランジスタで構成する。ただし、スイッチの機能を果たすものであれば、実現手段は問わない。
【００４２】
図３を用いて、走査線順次での点燈制御動作について説明する。図３で、各走査信号が“High”のときに各走査線を選択し、信号電圧を第１走査線から順次書き込む。画素は信号電圧書き込み後、各画素点燈制御信号が“High”の期間中、画素は点燈する。
【００４３】
次に、図７から図１０を用いて、画素点燈制御手段２３の動作の詳細について説明する。図７で、点燈開始タイミングシフト手段１２３は、図１２に示すように走査開始信号１２０を走査シフトクロック１２２に従って、１クロックづつシフトし、第１走査線点燈開始タイミング信号１２４から第４８０走査線点燈開始タイミング信号１２８として、４８０本を出力する。ここで、図８においては、第１走査線点燈開始タイミング信号１２４を走査開始信号１２０と同じタイミングとしているが、同じタイミングである必要は無く、第１走査線点燈開始タイミング信号１２４から第４８０走査線点燈開始タイミング信号１２８までの位相が、図８に示すように走査シフトクロック１２２の１クロック分づつシフトしている関係であればよい。したがって、この位相関係さえ保てば、点燈開始タイミングシフト手段１２３の構成も限定しない。点燈終了基準タイミング生成手段１２９は、図８に示すように、走査開始信号１２０の“High”部分を、任意の期間遅延させた信号である点燈終了基準タイミング信号１３０を生成する。任意の期間については、後で説明する。点燈終了タイミングシフト手段１３１は、図８に示すように、点燈終了基準タイミング信号１３０を走査シフトクロック１２２に従って１クロックづつシフトし、第１走査線点燈終了基準タイミング信号１３２から第４８０走査線点燈終了基準タイミング信号１３６として、４８０本を出力する。ここで、図８においては、第１走査線点燈終了基準タイミング信号１３２を点燈終了基準タイミング信号１３０と同じタイミングとしているが、同じタイミングである必要は無く、第１走査線点燈終了基準タイミング信号１３２から第４８０走査線点燈終了基準タイミング信号１３６までの位相が、図８に示すように走査シフトクロック１２２の１クロック分づつシフトしている関係であればよい。したがって、この位相関係さえ保てば、点燈終了タイミングシフト手段１３１の構成も限定しない。走査線別点燈終了タイミング調整手段１３７は、図９に示すように、各走査線点燈終了基準タイミング信号１３２から１３６を、走査線ごとに異なるタイミング調整量だけ遅延させ、各々第１走査線点燈終了タイミング信号１３８から第４８０走査線点燈終了タイミング信号１４２として出力する。タイミング調整量は電流検知情報２１に従って決定するが、詳細は後で説明する。最後に、第１走査線点燈制御手段１４３、第２走査線点燈制御手段１４５、第３走査線点燈制御手段１４７、第４７９走査線点燈制御手段１４９、第４８０走査線点燈制御手段１５１が、図１０に示すように、各走査線点燈開始タイミング信号１２４から１２８の立ち上がりから、各走査線点燈終了タイミング信号１３８から１４２の立ち上がりまで“High”となる、第１走査線点燈制御信号１４４、第２走査線点燈制御信号１４６、第３走査線点燈制御信号１４８、第４７９走査線点燈制御信号１５０、第４８０走査線点燈制御信号１５２を生成する。以上の構成は、各走査線点燈制御信号を生成するための一例であり、図１０に示す、走査線ごとに異なる期間“High”となる各走査線点燈制御信号であれば、回路構成は限定しない。また、ここでは走査線別の回路を４８０個づつ設けているが、解像度に応じて個数を変えることにより、あらゆる解像度のディスプレイに対応可能となる。
【００４４】
最後にタイミング調整量に関して、一例を示す。数1から数3で、設計の段階で配線抵抗R、有機ＥＬ駆動電圧VD、走査線駆動周期Tfを把握しておく。そして、電流検知情報２１から有機ＥＬ電流IELの値を認識することにより、第ｎ走査線点燈終了タイミング調整量TWnを導出する。したがって、図１２において、点燈終了基準タイミング信号１３０は、TWnが最大となるｎ＝１のときのTWnの遅延を加えても、走査線駆動周期Tfを超えないことが条件となる。走査線の位置ｎは、給電ポイントと画素との距離に一致又は比例する。よって、点燈終了タイミング調整量は、有機ＥＬ電流IEL及び給電ポイントと画素との距離に比例する。点燈開始タイミングが、走査線駆動周期Tfに比例するため、有機ＥＬの点燈時間は、有機ＥＬ電流IEL及び給電ポイントと画素との距離に比例することになる。尚、有機ＥＬの点燈時間を制御できればよいので、１フレーム期間中における１つの画素の点燈状態が、複数に分割されていてもよい。この場合、１フレーム期間中における１つの画素の点燈開始タイミング及び点燈終了タイミングが複数個存在することになる。
【００４５】
尚、駆動電圧の電流量を検知する代わりに、画素の表示輝度を測定し、その表示輝度に従ってタイミング調整量を設定してもよい。表示輝度を測定するための輝度測定回路を設けることによって、画面上の画素ごとの表示輝度を測定する。又は、輝度測定回路によって、表示データの階調データからが画素ごと又は画素の列ごと又は画素の行ごとの表示輝度を算出してもよい。
【００４６】
また、ここでは、画面下側からの有機ＥＬ駆動電圧の給電の場合について説明したが、駆動電圧の給電ポイントが異なる場合や、複数ある場合には、それに対応したタイミング調整量を設定すればよい。つまり、画素と駆動電圧の給電ポイントとの距離が長くなるほど（画素が給電ポイントから遠くなるほど）、その画素の有機ＥＬ44の点燈時間を長くする。上記第１の実施形態では、駆動電圧の給電ポイントが、ディスプレイ部25の下側に位置するため、ディスプレイ部25の下側から上側にいくに従い、有機ＥＬ44の点燈時間を長くする。上記第１の実施形態では、駆動電圧の給電ポイントが、ディスプレイ部25の上側に位置する場合、ディスプレイ部25の上側から下側にいくに従い、有機ＥＬ44の点燈時間を長くする。上記第１の実施形態では、駆動電圧の給電ポイントが、ディスプレイ部25の右側に位置する場合、ディスプレイ部25の右側から左側にいくに従い、有機ＥＬ44の点燈時間を長くする。上記第１の実施形態では、駆動電圧の給電ポイントが、ディスプレイ部25の左側に位置する場合、ディスプレイ部25の左側から右側にいくに従い、有機ＥＬ44の点燈時間を長くする。但し、隣接する画素の有機ＥＬ44では、電圧降下量の差が小さいため、複数（例えば、２や３）画素単位で、その点燈時間を制御してもよい。つまり、その複数画素間では、点燈時間が同一となる。例えば、列単位で駆動電圧が供給される場合は、隣接する行に属する画素単位で、点燈時間を制御する。また、行単位で駆動電圧が供給される場合は、隣接する列に属する画素単位で、点燈時間を制御する。これによって、有機ＥＬ44の点燈時間の制御が簡潔化する。  上記本発明の第１の実施形態によれば、画素位置ならびに駆動電源電圧電流量に応じた電圧降下に対応して、画素点燈時間を制御することが可能となり、画面上の同一輝度又は同一表示データに対する輝度のばらつきを低減するという効果を奏する。
【００４７】
以下、本発明の第２の実施形態を、図面を用いて詳細に説明する。
【００４８】
図１１は、本発明の第２の実施形態の表示装置の構成図である。本発明の第１の実施形態と同一の符号は、本発明の第１の実施形態と同一の作用・機能を有する。２０１は多重表示制御部、２０２は走査線第２制御信号である。表示制御部２０２は、第１の実施形態と同様に、データ線制御信号７、走査線制御信号８、格納・読出しコマンド信号９、格納・読出しアドレス１０、格納データ１１を生成するとともに、電流検知情報２１に対応したタイミングで、通常の表示データ書き込みの後に黒表示を書き込むための走査線第２制御信号２０２を生成する。２０３は走査線第２制御手段、２０４は走査線多重駆動信号、２０５はディスプレイ部である。走査線第２制御手段２０３は、走査線第２制御信号２０２に従った走査線駆動信号を、走査線駆動信号１７に重ね合わせて、走査線多重駆動信号２０４として出力する。
第１多重走査線２０６、第２多重走査線２０７が、一表示期間内で２度の走査を行う。
【００４９】
図１２は、本発明の第２の実施形態の走査線多重駆動信号２０４、データ線駆動信号１５の、各走査線における動作を示した図である。２０８は第１多重走査信号、２０９は第１走査線表示期間、２１０は第１走査線黒表示期間、２１１は第２多重走査信号、２１２は第２走査線表示期間、２１３は第２走査線黒表示期間、２１４は第３多重走査信号、２１５は第３走査線表示期間、２１６は第３走査線黒表示期間、２１７は第４８０多重走査信号、２１８は第４８０走査線表示期間、２１９は第４８０走査線黒表示期間である。各多重走査信号は通常の表示データ書き込み後に、黒データ書き込み用のパルスが付加され、一表示周期内に複数回（例えば、２回）のパルスを発生する信号である。ここでは、この黒データ書き込みを走査第２駆動と呼ぶこととする。２２０は第１走査線書き込みデータ、２２１は第２走査線書き込みデータ、２２２は第３走査線書き込みデータ、２２３は第４８０走査線書き込みデータ、２２４は黒書き込みデータである。各走査線書き込み後に、データ線駆動信号を黒書き込みデータ２２４とすることにより、各多重走査信号の２回目のパルス、走査第２駆動タイミングに従って黒データ書き込みを行う。この２回目のパルスのタイミングを走査線ごとに調整することによって、第１の実施形態で画素点燈期間を調整することと同様の効果を得ることができる。つまり、黒データが書き込まれた期間が、第１の実施形態における有機ＥＬの消燈期間と実質的に同一の機能を果たす。尚、通常の表示データを書き込む前に、黒データを書き込んでもよいし、１フレーム期間内に複数の黒データを書き込んでもよい。
【００５０】
多重表示制御部２０１の内部構成は、格納制御部と、多重表示制御信号生成部を備える。多重表示制御信号生成部は、第１の実施形態と同様に、データ線制御信号７、走査線制御信号８を生成することに加え、図１２における黒データ書き込み用の走査線駆動タイミングを生成するための走査線第２制御信号２０２を、電流検知情報２１を参照し、生成する。多重表示制御信号生成部２２５は、基本クロック生成手段、水平カウンタ、垂直カウンタ、データタイミング調整手段、データ線駆動制御手段、走査線駆動制御手段、走査シフトクロック制御手段、走査線第２駆動制御手段、走査第２シフトクロック制御手段を備える。走査線第２駆動制御手段は、水平カウント値１１０から、走査第２駆動のタイミングを示す走査第２開始信号を生成する。走査第２シフトクロック制御手段は、電流検知情報２１から、走査第２開始信号の走査線ごとのシフト量を決定し、そのシフト量を一周期とする走査第２シフトクロックを生成する。走査第２開始信号と、走査第２シフトクロックで、走査線第２制御信号を構成する。
【００５１】
図１２は、本発明の実施形態の走査線第２駆動手段２０３の内部構成である。２３０は走査第２開始信号シフト手段、２３１は第１走査線第２駆動タイミング信号、２３２は第２走査線第２駆動タイミング信号、２３３は第３走査線第２駆動タイミング信号、２３４は第４７９走査線第２駆動タイミング信号、２３５は第４８０走査線第２駆動タイミング信号である。走査線第２開始信号シフト手段２３０は、走査第２開始信号２２７を走査第２シフトクロック２２９に従ってシフトし、シフト結果を各走査線の第２駆動タイミングを示す、第１走査線第２駆動タイミング信号２３１から第４８０走査線第２駆動タイミング信号２３５として、４８０本を出力する。２３６は第１走査線駆動信号、２３７は第２走査線駆動信号、２３８は第３走査線駆動信号、２３９は第４７９走査線駆動信号、２４０は第４８０走査線駆動信号であり、走査線駆動信号１７の各走査線の信号である。２４１は第１走査線重ね合わせ手段、２４２は第１走査線多重駆動信号、２４３は第２走査線重ね合わせ手段、２４４は第２走査線多重駆動信号、２４５は第３走査線重ね合わせ手段、２４６は第３走査線多重駆動信号、２４７は第４７９走査線重ね合わせ手段、２４８は第４７９走査線多重駆動信号、２４９は第４８０走査線重ね合わせ手段、２５０は第４８０走査線多重駆動信号である。各走査線重ね合わせ手段は、各走査線駆動信号と走査線第２駆動信号を重ね合わせて、一つの信号として、各走査線多重駆動信号として出力する。
【００５２】
図１２は、走査駆動信号、走査第２駆動信号、走査線多重駆動信号の動作タイミングを示す図である。第１の実施形態と同様に、画面上部の走査線ほど表示期間を長くとるため、走査第２シフトクロック２２９の周波数を、走査シフトクロック１２２より速くすることにより、各走査線に出力される走査第２駆動信号のシフト量が小さくなり、第１走査線の表示期間が最も長くなる。
【００５３】
以下、図１１〜１４を用いて、本第２の実施形態における多重走査制御について説明する。
【００５４】
図１１で、多重表示制御部２０１において、第１の実施形態と同様に、画面格納動作、データ線制御信号生成動作、走査線制御信号生成動作を行うことに加え、図１２に示すように、通常の走査制御の後に第２の走査制御を加えるための走査第２制御信号２０２を生成し、第２の走査タイミングにあわせてデータ線制御信号７の表示データを黒データとする。走査第２制御手段２０３は、第２の走査駆動信号を生成するとともに、通常の走査駆動信号１７と重ね合わせることにより、１フレーム内で２回の走査を行う多重走査駆動信号２０４を生成する。従来ディスプレイ部２０５は、第１の実施形態と異なり、走査線多重駆動信号２０４で選択されたライン上の画素が、データ線駆動信号１５で供給される信号電圧に従って点燈する。本第２の実施形態では、図１２に示すように、通常の信号電圧書き込み後に、走査線ごとに異なるタイミングで必ず黒データを書き込むことにより、走査線ごとの画素点燈時間を制御し、第１の実施形態で説明した降下を得る。その他の部分は、第１の実施形態と同様の動作である。
【００５５】
多重走査表示制御部２０１の動作の詳細について説明する。多重表示制御信号生成部は、データ線制御信号７、走査線制御信号８、データ読み出し指示信号１０５を生成することに加えて、電流検知情報２１を参照して上記走査第２制御信号２０２を生成する。走査線第２駆動制御手段は、図１２に示すように、通常の書き込み後の走査第２駆動の基準となる走査第２開始信号２２７を生成する。走査第２シフトクロック制御手段は、走査第２開始信号をシフトするための走査第２シフトクロックを生成する。
【００５６】
図１２で、走査第２開始信号シフト手段２３０が、走査第２開始信号２２７を走査第２シフトクロック２２９に従ってシフトすることにより、図１２に示すように、各走査線の走査第２駆動信号を生成する。最後に、各走査線重ね合わせ手段が、走査駆動信号と走査第２駆動信号を重ね合わせることにより、図１２に示すように、１フレーム内で２回の走査を行う多重走査駆動信号を生成する。このとき、図１２に示すように、走査第２シフトクロック２２９の周波数を、走査シフトクロック１２２と異ならせることによって、各走査線の表示期間を変えることができる。したがって、この周波数を、電流検知情報２１に従って調整することにより、第１の実施形態と同様に、電圧降下を補うための表示期間の調整が可能となる。
【００５７】
尚、黒データを挿入する代わりに、表示データよりも低い輝度の表示データを挿入してもよい。
【００５８】
上記本発明の第２の実施形態によれば、第１の実施形態に対して、画素ごとに設けられた点燈制御スイッチ43や点燈制御線（例えば、第1点燈制御線30や第480点燈制御線31）がなくても、実質的に有機ＥＬ44の点燈／消燈を制御できるので、上記第１の実施形態の効果に加え、画素の構成が簡素化されるという効果を奏する。尚、点燈制御スイッチ43を、有機ＥＬ44の点燈制御以外の用途に用いるため、画素に設けても良い。
【００５９】
尚、本発明は、自発光デ素子ディスプレイだけでなく、液晶ディスプレイやプラズマディスプレイに適用してもよい。
【００６０】
【発明の効果】
本発明によれば、表示素子の配置位置に起因する輝度の偏りを低減するという効果を奏する。
【００６１】
本発明によれば、電流原から表示素子に至るまでの配線の電圧降下に起因する輝度の偏りを低減するという効果を奏する。
【図面の簡単な説明】
【図１】本発明の第１の実施形態の表示装置の構成図。
【図２】本発明の第１の実施形態のディスプレイ部２５の構成図。
【図３】本発明の第１の実施形態の走査線駆動信号１７、画素点燈制御信号２４の各走査線の動作図。
【図４】本発明の第１の実施形態の電流制御を説明するための概念図。
【図５】本発明の第１の実施形態の電流制御を説明するための概念図。
【図６】本発明の第１の実施形態の電流制御を説明するための概念図。
【図７】本発明の第１の実施形態のデータ線駆動手段１４の内部構成図。
【図８】本発明の第１の実施形態の点燈開始タイミングシフト手段１２３、点燈終了基準タイミング生成手段１２９、点燈終了タイミングシフト手段１３１の動作タイミング図。
【図９】本発明の第１の実施形態の走査線別点燈終了タイミング調整手段１３７の動作タイミング図。
【図１０】本発明の第１の実施形態の第１走査線点燈制御手段１４３、第２走査線点燈制御手段１４５、第３走査線点燈制御手段１４７、第４７９走査線点燈制御手段１４９、第４８０走査線点燈制御手段１５１の動作タイミング図。
【図１１】本発明の第２の実施形態の表示装置の構成図。
【図１２】本発明の第２の実施形態の走査線多重駆動信号２０４、データ線駆動信号１５の、各走査線における動作を示した図。
【図１３】本発明の第２の実施形態の走査線第２駆動手段２０３の内部構成図。
【図１４】本発明の第２の実施形態の走査駆動信号、走査第２駆動信号、走査線多重駆動信号の動作タイミング図。
【符号の説明】
１…垂直同期信号、２…水平同期信号、３…データイネーブル信号、４…表示データ、５…同期クロック、６…表示制御部、７…データ線制御信号、８…走査線制御信号、９…格納・読出しコマンド信号、１０…格納・読出しアドレス、１１…格納データ、１２…画面格納手段、１３…画面読出しデータ、１４…データ線駆動手段、１５…データ線駆動信号、１６…走査線駆動手段、１７…走査線駆動信号、１８…駆動電圧生成手段、１９…駆動基準電圧、２０…電流検知手段、２１…電流検知情報、２２…駆動電圧、２３…画素点燈制御手段、２４…画素点燈制御信号、２５…ディスプレイ部、２６…第１データ線、２７…第２データ線、２８…第１走査線、２９…第４８０走査線、３０…第１点燈制御線、３１…第４８０点燈制御線、３２…有機ＥＬ駆動電圧供給線、３３…第１列有機ＥＬ駆動電圧供給線、３４…第２列有機ＥＬ駆動電圧供給線、３５…第１行第１列画素、３６…第１行第２列画素、３７…第４８０行第１列画素、３８…第４８０行第２列画素、３９…画素駆動部、４０…スイッチングトランジスタ、４１…書き込み容量、４２…駆動トランジスタ、４３…点燈制御スイッチ、４４…有機ＥＬ、４５…第１走査信号、４６…第１走査線駆動周期、４７…第２走査信号、４８…第２走査線駆動周期、４９…第３走査信号、５０…第３走査線駆動周期、５１…第１走査線点燈制御信号、５２…第１走査線点燈期間、５３…第２走査線点燈制御信号、５４…第２走査線点燈期間、５５…第３走査線点燈制御信号、５６…第３走査線点燈期間、５７…有機ＥＬ駆動電圧、５８…書き込み電圧、５９…ソース−ゲート間電圧、６０…ソース−ドレイン間電圧、６１…有機ＥＬ電流、６２…駆動トランジスタ電圧−電流特性、６３…有機ＥＬ電圧−電流特性、６４…有機ＥＬ動作点、６５…第２行第１列画素、６６…第１行有機ＥＬ駆動電圧、６７…第２行駆動電圧、６８…第４８０行駆動電圧、６９…画素位置−駆動電圧特性、７０…低有機ＥＬ駆動電圧時駆動トランジスタ電圧−電流特性、７１…低有機ＥＬ駆動電圧時有機ＥＬ電圧−電流特性、７２…低有機ＥＬ駆動電圧時有機ＥＬ動作点、７３…白表示時給電入り口電流、７４…白表示時第４８０行画素電流、７５…白表示時第２行画素電流、７６…白表示時第１行画素電流、７７…白表示時画素位置−駆動電圧特性、７８…中間調表示時給電入り口電流、７９…中間調表示時第４８０行画素電流、８０…中間調表示時第２行画素電流、８１…中間調表示時第１行画素電流、８２…中間調表示時画素位置−駆動電圧特性、８３…白表示時画素位置−有機ＥＬ電流特性、８４…白表示時最上部有機ＥＬ電流、８５…白表示時最上部点燈期間、８６…白表示時最上部点燈実効輝度、８７…白表示時中央部有機ＥＬ電流、８８…白表示時中央部点燈期間、８９…白表示時中央部点燈実効輝度、９０…白表示時最下部有機ＥＬ電流、９１…白表示時最下部点燈期間、９２…白表示時最下部点燈実効輝度、９３…中間調表示時画素位置−有機ＥＬ電流特性、９４…中間調表示時最上部有機ＥＬ電流、９５…中間調表示時最上部点燈期間、９６…中間調表示時最上部点燈実効輝度、９７…中間調表示時中央部有機ＥＬ電流、９８…中間調表示時中央部点燈期間、９９…中間調表示時中央部点燈実効輝度、１００…中間調表示時最下部有機ＥＬ電流、１０１…中間調表示時最下部点燈期間、１０２…中間調表示時最下部点燈実効輝度、１２０…走査開始信号、１２１…走査シフトクロック制御手段、１２２…走査シフトクロック、１２３…点燈開始タイミングシフト手段、１２４…第１走査線点燈開始タイミング信号、１２５…第２走査線点燈開始タイミング信号、１２６…第３走査線点燈開始タイミング信号、１２７…第４７９走査線点燈開始タイミング信号、１２８…第４８０走査線点燈開始タイミング信号、１２９…点燈終了基準タイミング生成手段、１３０…点燈終了基準タイミング信号、１３１…点燈終了タイミングシフト手段、１３２…第１走査線点燈終了基準タイミング信号、１３３…第２走査線点燈終了基準タイミング信号、１３４…第３走査線点燈終了基準タイミング信号、１３５…第４７９走査線点燈終了基準タイミング信号、１３６…第４８０走査線点燈終了基準タイミング信号、１３７…走査線別点燈終了タイミング調整手段、１３８…第１走査線点燈終了タイミング信号、１３９…第２走査線点燈終了タイミング信号、１４０…第３走査線点燈終了タイミング信号、１４１…第４７９走査線点燈終了タイミング信号、１４２…第４８０走査線点燈終了タイミング信号、１４３…第１走査線点燈制御手段、１４４…第１走査線点燈制御信号、１４５…第２走査線点燈制御手段、１４６…第２走査線点燈制御信号、１４７…第３走査線点燈制御手段、１４８…第３走査線点燈制御信号、１４９…第４７９走査線点燈制御手段、１５０…第４７９走査線点燈制御信号、１５１…第４８０走査線点燈制御手段、１５２…第４８０走査線点燈制御信号、１５３…第１走査線点燈終了タイミング調整量、１５４…第２走査線点燈終了タイミング調整量、１５５…第３走査線点燈終了タイミング調整量、１５６…第４７９走査線点燈終了タイミング調整量、２０１…多重表示制御部、２０２…走査線第２制御信号、２０３…走査線第２制御手段、２０４…走査線多重駆動信号、２０５…ディスプレイ部、２０６…第１多重走査線、２０７…第４８０多重走査線、２０８…第１多重走査信号、２０９…第１走査線表示期間、２１０…第１走査線黒表示期間、２１１…第２多重走査信号、２１２…第２走査線表示期間、２１３…第２走査線黒表示期間、２１４…第３多重走査信号、２１５…第３走査線表示期間、２１６…第３走査線黒表示期間、２１７…第４８０多重走査信号、２１８…第４８０走査線表示期間、２１９…第４８０走査線黒表示期間、２２０…第１走査線書き込みデータ、２２１…第２走査線書き込みデータ、２２２…第３走査線書き込みデータ、２２３…第４８０走査線書き込みデータ、２２４…黒書き込みデータ、２３０…走査第２開始信号シフト手段、２３１…第１走査線第２駆動タイミング信号、２３２…第２走査線第２駆動タイミング信号、２３３…第３走査線第２駆動タイミング信号、２３４…第４７９走査線第２駆動タイミング信号、２３５…第４８０走査線第２駆動タイミング信号、２３６…第１走査線駆動信号、２３７…第２走査線駆動信号、２３８…第３走査線駆動信号、２３９…第４７９走査線駆動信号、２４０…第４８０走査線駆動信号、２４１…第１走査線重ね合わせ手段、２４２…第１走査線多重駆動信号、２４３…第２走査線重ね合わせ手段、２４４…第２走査線多重駆動信号、２４５…第３走査線重ね合わせ手段、２４６…第３走査線多重駆動信号、２４７…第４７９走査線重ね合わせ手段、２４８…第４７９走査線多重駆動信号、２４９…第４８０走査線重ね合わせ手段、２５０…第４８０走査線多重駆動信号。
【図１】
0003855868.tif 000005
【図２】
0003855868.tif 000006
【図３】
0003855868.tif 000007
【図４】
0003855868.tif 000008
【図５】
0003855868.tif 000009
【図６】
0003855868.tif 000010
【図７】
0003855868.tif 000011
【図８】
0003855868.tif 000012
【図９】
0003855868.tif 000013
【図１０】
0003855868.tif 000014
【図１１】
0003855868.tif 000015
【図１２】
0003855868.tif 000016
【図１３】
0003855868.tif 000017
【図１４】
0003855868.tif 000018